(57)【特許請求の範囲】
【請求項１】
開閉可能な第１ドアと、
第１ドアの開閉方向と異なる方向に開閉可能な第２ドアと、
第１ドアが閉じられたときに第１ドアによって押圧されて作動する第１ドア用動力伝達手段と、
第２ドアが閉じられたときに第２ドアによって押圧されて作動する第２ドア用動力伝達手段と、
第１ドア又は第２ドアが開いた場合に、第１ドア用動力伝達手段又は第２ドア用動力伝達手段が作動して、電力供給を停止する電力供給スイッチと、
を備える電力遮断機構において、
第１ドア用動力伝達手段は、第１ドア用レバーと、前記第１ドア用レバーと接触可能で、前記電力供給スイッチを押圧する副レバーとを備え、
第２ドア用動力伝達手段は、第２ドア用レバーと、前記副レバーを回動自在に支持し、前記第２ドア用レバーと接触可能で、前記電力供給スイッチを前記副レバーを介して押圧する主レバーとを備え、
第１ドア用レバーには前記副レバーを押圧するカムが設けられ、前記第２ドア用レバーには、前記主レバーを押圧するカムが設けられ、
前記第２ドアが閉じているときのみ、前記第２ドア用レバーのカムが前記主レバーを押圧して、前記主レバーを移動した状態とし、
前記第１ドアが閉じているときのみ、前記第１ドア用レバーのカムが前記副レバーを押圧して、前記副レバーを移動した状態とし、
前記主レバーと前記副レバーがともに移動した状態にあるときに、前記電力供給スイッチが押圧される
ことを特徴とする電力遮断機構。
【請求項２】
請求項１に記載の電力遮断機構において、
前記電力供給スイッチと、前記第２ドア用動力伝達手段が作動すると押圧されて切り換わる開ドア検知スイッチと、前記第１ドア用レバーと、前記第２ドア用レバーと、前記主レバー及び副レバーと、がユニット化されている
ことを特徴とする電力遮断機構。
【請求項３】
請求項１に記載の電力遮断機構において、
第１ドア用レバー及び第２ドア用レバーを押圧するために第１ドア及び第２ドアにはそれぞれ第１ドアリブ及び第２ドアリブが形成され、
第１ドア用レバー及び第２ドア用レバーのレバー回動軸は、それぞれ第１ドアリブ及び第２ドアリブの挿入方向に対して垂直方向に沿って配置されている
ことを特徴とする電力遮断機構。
【請求項４】
請求項３に記載の電力遮断機構において、
第２ドアの開閉方向に沿った断面において、
第２ドアリブが第２ドア用レバーを押圧する部分の中心を点Ａ、第２ドア用レバーが主レバーを押圧する部分の中心を点Ｂ、第２ドア用レバーの回動中心を点Ｃとした場合、線分ＡＣは線分ＢＣより長い
ことを特徴とする電力遮断機構。
【請求項５】
請求項１に記載の電力遮断機構において、
第２ドアの開閉方向に沿った断面において、
副レバーが電力供給スイッチを押圧する部分の中心を点Ｄ、第１ドア用レバーが副レバーを押圧する部分の中心を点Ｅ、副レバーの回動中心を点Ｆとした場合、線分ＤＦは線分ＥＦより短い
ことを特徴とする電力遮断機構。
【請求項６】
請求項３に記載の電力遮断機構において、
第２ドア用動力伝達手段が作動すると押圧されて切り換わる開ドア検知スイッチが設けられ、
第２ドアリブで第２ドア用レバーを一定距離押し込むと、第２ドアリブの先端と第２ドア用レバーとが非接触になり、
さらに、第２ドアリブを押し込むと、第２ドアリブは開ドア検知スイッチを押圧し、
第２ドアリブが開ドア検知スイッチを押圧した状態では、第２ドア用レバーは元の位置に戻ろうとする動きが第２ドアリブによって拘束される構成にされている
ことを特徴とする電力遮断機構。
【請求項７】
請求項１に記載の電力遮断機構において、
第２ドア用動力伝達手段が作動すると押圧されて切り換わる開ドア検知スイッチが設けられている
ことを特徴とする電力遮断機構。
【請求項８】
請求項１に記載の電力遮断機構において、
第１ドア用レバー又は第２ドア用レバーの回動を拘束する回止めが設けられている
ことを特徴とする電力遮断機構。
【請求項９】
請求項１に記載の電力遮断機構において、
第１ドア及び第２ドアは、一方が作像ユニットにアクセスするためのドアであり、他方が紙詰り処理用のドアである
ことを特徴とする電力遮断機構。
【請求項１０】
請求項１ないし請求項９のいずれかに記載の電力遮断機構を備えている
ことを特徴とする画像形成装置。
【発明の詳細な説明】
【技術分野】
【０００１】
本発明は、異なる方向に開閉可能な複数のドアを備える装置における電力遮断機構及びこれを備える画像形成装置に関する。
【背景技術】
【０００２】
従来、画像形成装置などに用いられる電力遮断機能、すなわち、いわゆるインターロックスイッチ機構として、作像ユニットにアクセスするための前ドアと、紙詰り処理のための側面ドアとの開閉状態を１個の電力供給スイッチで検知するインターロックスイッチ機構が広く利用されている（例えば、特許文献１及び特許文献２参照）。
電力供給スイッチは、ドアを開いたときに定着ユニットへの電力の供給を停止したり、書込ユニットのレーザーダイオードへの電力の供給を停止したりする機能を有している。そのため、電力供給スイッチはオペレータの安全を確保する役割を果たしている。
しかし、従来のインターロックスイッチ機構は、前ドア及び側面ドアをユーザーが手動で操作するため、電力供給スイッチの切換動作がスムーズに行われないことがある。より具体的には、インターロックスイッチ機構が複雑な機構になり、部品点数の増加によって寸法誤差が累積し、電力供給スイッチの切換動作に大きな力を必要とするといった不具合が発生することがある。
【０００３】
【特許文献１】特開２００５−６７０６７号公報
【特許文献２】特開平１１−３０５５１２号公報
【発明の開示】
【発明が解決しようとする課題】
【０００４】
そこで、本発明は上記問題点に鑑みてなされたものであり、その課題は、簡素な構成でスムーズに電力供給スイッチの切換動作を行うことができる電力遮断機構及びこれを備える画像形成装置を提供することを目的とする。
【課題を解決するための手段】
【０００５】
上記課題を解決する手段である本発明の特徴を以下に挙げる。
本発明の電力遮断機構は、開閉可能な第１ドアと、第１ドアの開閉方向と異なる方向に開閉可能な第２ドアと、第１ドアが閉じられたときに第１ドアによって押圧されて作動する第１ドア用動力伝達手段と、第２ドアが閉じられたときに第２ドアによって押圧されて作動する第２ドア用動力伝達手段と、第１ドア又は第２ドアが開いた場合に、第１ドア用動力伝達手段又は第２ドア用動力伝達手段が作動して、電力供給を停止する電力供給スイッチと、を備える電力遮断機構において、第１ドア用動力伝達手段は、第１ドア用レバーと、前記第１ドア用レバーと接触可能で、前記電力供給スイッチを押圧する副レバーとを備え、第２ドア用動力伝達手段は、第２ドア用レバーと、前記副レバーを回動自在に支持し、前記第２ドア用レバーと接触可能で、前記電力供給スイッチを前記副レバーを介して押圧する主レバーとを備え、第１ドア用レバーには前記副レバーを押圧するカムが設けられ、前記第２ドア用レバーには、前記主レバーを押圧するカムが設けられ、前記第２ドアが閉じているときのみ、前記第２ドア用レバーのカムが前記主レバーを押圧して、前記主レバーを移動した状態とし、前記第１ドアが閉じているときのみ、前記第１ドア用レバーのカムが前記副レバーを押圧して、前記副レバーを移動した状態とし、前記主レバーと前記副レバーがともに移動した状態にあるときに、前記電力供給スイッチが押圧されることを特徴とする。
【０００６】
また、本発明の電力遮断機構は、さらに、前記電力供給スイッチと、前記第２ドア用動力伝達手段が作動すると押圧されて切り換わる開ドア検知スイッチと、前記第１ドア用レバーと、前記第２ドア用レバーと、前記主レバー及び副レバーと、がユニット化されていることを特徴とする。
また、本発明の電力遮断機構は、さらに、第１ドア用レバー及び第２ドア用レバーを押圧するために第１ドア及び第２ドアにはそれぞれ第１ドアリブ及び第２ドアリブが形成され、第１ドア用レバー及び第２ドア用レバーのレバー回動軸は、それぞれ第１ドアリブ及び第２ドアリブの挿入方向に対して垂直方向に沿って配置されていることを特徴とする。
【０００７】
また、本発明の電力遮断機構は、さらに、第２ドアの開閉方向に沿った断面において、第２ドアリブが第２ドア用レバーを押圧する部分の中心を点Ａ、第２ドア用レバーが主レバーを押圧する部分の中心を点Ｂ、第２ドア用レバーの回動中心を点Ｃとした場合、線分ＡＣは線分ＢＣより長いことを特徴とする。
また、本発明の電力遮断機構は、さらに、第２ドアの開閉方向に沿った断面において、副レバーが電力供給スイッチを押圧する部分の中心を点Ｄ、第１ドア用レバーが副レバーを押圧する部分の中心を点Ｅ、副レバーの回動中心を点Ｆとした場合、線分ＤＦは線分ＥＦより短いことを特徴とする。
【０００８】
また、本発明の電力遮断機構は、さらに、第２ドア用動力伝達手段が作動すると押圧されて切り換わる開ドア検知スイッチが設けられ、第２ドアリブで第２ドア用レバーを一定距離押し込むと、第２ドアリブの先端と第２ドア用レバーとが非接触になり、さらに、第２ドアリブを押し込むと、第２ドアリブは開ドア検知スイッチを押圧し、第２ドアリブが開ドア検知スイッチを押圧した状態では、第２ドア用レバーは元の位置に戻ろうとする動きが第２ドアリブによって拘束される構成にされていることを特徴とする。
また、本発明の電力遮断機構は、さらに、第２ドア用動力伝達手段が作動すると押圧されて切り換わる開ドア検知スイッチが設けられていることを特徴とする。
【０００９】
また、本発明の電力遮断機構は、さらに、第１ドア用レバー又は第２ドア用レバーの回動を拘束する回止めが設けられていることを特徴とする。
また、本発明の電力遮断機構は、さらに、第１ドア及び第２ドアは、一方が作像ユニットにアクセスするためのドアであり、他方が紙詰り処理用のドアであることを特徴とする。
本発明の画像形成装置は、上記のいずれかに記載の電力遮断機構を備えていることを特徴とする。
【発明の効果】
【００１０】
上記解決する手段としての電力遮断機構及びこれを備える画像形成装置では、簡素な構成でスムーズに電力供給スイッチの切換動作を行うことができる。
【発明を実施するための最良の形態】
【００１１】
以下に、本発明を実施するための最良の形態を図面に基づいて説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
【００１２】
図１は、本発明の電力遮断機構の一実施形態を備える画像形成装置を示している。この画像形成装置は、装置正面側に設けられた開閉可能な第１ドア（１）と、第１ドア（１）の開閉方向と異なる方向に開閉可能な第２ドア（２）と、を備えている。第１ドア（１）は装置正面から見て手前側に倒れるように回動可能にされている。この第１ドア（１）より下方には、用紙をストックする給紙ストッカ（３）が設けられている。第２ドア（２）は装置正面から見て右側に倒れるように回動可能にされている。
本実施形態では、画像形成装置に用いられる電力遮断機構、すなわち、いわゆるインターロックスイッチ機構として、作像ユニットにアクセスするための第１ドア（１）、及び紙詰り処理のための第２ドア（２）の２枚のドアを１個の電力供給スイッチで検知するインターロックスイッチ機構が採用されている。
【００１３】
図２は、インターロックスイッチ機構（４）が設けられている本体構造体（５）の外観を示している。インターロックスイッチ機構（４）には、第１ドアを閉めたときには第１ドアに設けられた第１ドアリブが、第２ドアを閉めたときには第２ドアに設けられた第２ドアリブが、インターロックスイッチ機構（４）に差し込まれる。そして、第１ドア又は第２ドアを開け、第１ドアリブ又は第２ドアリブのインターロックスイッチ機構（４）への差込みが解除されると、画像形成装置内の各種機器への電力供給が停止される。
【００１４】
図３は、インターロックスイッチ機構（４）を拡大して示している。インターロックスイッチ機構（４）の正面側には板金状のプレート（６）が設けられており、このプレート（６）を取り外すと図４に示すようになる。図４に示すように、インターロックスイッチ機構（４）は、電力供給スイッチ（７）、第１ドア用レバー（８）、第２ドア用レバー（９）、主レバー（１０）、副レバー（１１）、開ドア検知スイッチ（１２）を備えている。第１ドア用レバー（８）、第２ドア用レバー（９）及び主レバー（１０）の回動軸はプレート（６）に固定され、副レバー（１１）の回動軸は主レバー（１０）の一端に固定される。
【００１５】
そして、このような内部機構により、第１ドア（１）が閉じられたときに第１ドア（１）によって押圧されて作動する第１ドア用動力伝達手段が構成されている。より具体的には、第１ドア用動力伝達手段は、回動自在な第１ドア用レバー（８）、第１ドア用レバー（８）と接触可能な副レバー（１１）、及び副レバー（１１）を回動自在に支持する主レバー（１０）を備えている。ここで、主レバー（１０）は電力供給スイッチ押圧部材として用いられる。副レバー（１１）も電力供給スイッチ押圧部材として用いられる。
第１ドア用動力伝達手段の他に、第２ドア（２）が閉じられたときに第２ドア（２）によって押圧されて作動する第２ドア用動力伝達手段が構成されている。第２ドア用動力伝達手段は、第２ドア用レバー（９）及び主レバー（１０）を備えている。第１ドア用動力伝達手段と第２ドア用動力伝達手段とは、主レバー（１０）を共通の構成部品としている。そして、このインターロックスイッチ機構（４）は、第１ドア（１）又は第２ドア（２）が開いた場合、第１ドア用動力伝達手段又は第２ドア用動力伝達手段が作動して、電力供給スイッチ（７）の押圧を解除して電力供給を停止する構成にされている。
【００１６】
第１ドア用レバー（８）には、副レバー（１１）を押圧するカム（８ａ）が設けられている。第２ドア用レバー（９）には、主レバー（１０）を押圧するカム（９ａ）が設けられている。すなわち、第１ドア用動力伝達手段のカム（８ａ）と第２ドア用動力伝達手段のカム（９ａ）とは別個に設けられている。カム（８ａ、９ａ）はドア用レバー（８、９）と一体形成されているが、別体として取り付けてもよい。
上述したように、本実施形態のインターロックスイッチ機構（４）は、主レバー（１０）が回動すると電力供給スイッチ（７）が押圧され、副レバー（１１）が回動しても電力供給スイッチ（７）が押圧される構成にされている。また、本実施形態のインターロックスイッチ機構（４）は、主レバー（１０）より上方に開ドア検知スイッチ（１２）を備えている。そして、第２ドア用動力伝達手段が作動すると開ドア検知スイッチ（１２）が押圧されてスイッチのオン／オフが切り換わる。
このインターロックスイッチ機構（４）では、電力供給スイッチ（７）、開ドア検知スイッチ（１２）、第１ドア用レバー（８）、第２ドア用レバー（９）、主レバー（１０）及び副レバー（１１）、がユニット化されている。そのため、画像形成装置への組付作業を容易に行うことができる。
【００１７】
第１ドアリブの挿入方向に対して第１ドア用レバー（８）の回動軸部（８ｂ）は垂直に配置されており、第２ドアリブの挿入方向に対して第２ドア用レバー（９）の回動軸部（９ｂ）は垂直に配置されている。そのため、各ドアリブが各ドア用レバー（８、９）を押圧する方向が各ドアリブの挿入方向と一致するため、各ドアリブに加わる力を抑えることができる。また、第１ドア及び第２ドアの開閉をスムーズに行うことができる。さらに、第１ドア用レバー（８）の回動軸部（８ｂ）の軸方向と第２ドア用レバー（９）の回動軸部（９ｂ）の軸方向とを一致させる必要がないため、レイアウト上の自由度が上がり、インターロックスイッチ機構（４）のコンパクト化を図ることができる。
また、インターロックスイッチ機構（４）の全部の可動部品、すなわち、第１ドア用レバー（８）、第２ドア用レバー（９）、主レバー（１０）及び副レバー（１１）が、軸を中心として回動するので、直線運動を有する機構と比較して可動部品の摺動による摩擦抵抗が小さくなり、インターロックスイッチ機構（４）の不具合発生率を下げることができる。
【００１８】
図５は、図１に示した第１ドア（１）及び第２ドア（２）を共に開いたときのインターロックスイッチ機構（４）の状態を示している。第１ドア（１）の第１ドアリブ及び第２ドア（２）の第２ドアリブが、それぞれ第１ドア用動力伝達手段及び第２ドア用動力伝達手段を押圧していない状態である。すなわち、第１ドア用レバー（８）及び第２ドア用レバー（９）が、それぞれ第１ドア（１）の第１ドアリブ及び第２ドア（２）の第２ドアリブによって押圧されていない状態である。この状態のとき、電力供給スイッチ（７）はオフ状態、すなわち、画像形成装置の作像ユニットなどに電力が供給されていない状態にある。
【００１９】
図６は、図１に示した第１ドア（１）を開き第２ドア（２）を閉じたときのインターロックスイッチ機構（４）の状態を示している。第２ドアを閉じると、第２ドア用レバー（９）が図中、反時計回り方向に回動する。すると、第２ドア用レバー（９）のカム（９ａ）が主レバー（１０）を押圧し、主レバー（１０）を回動させる。このとき、同時に、第２ドア用レバー（９）の上端側の斜面が開ドア検知スイッチ（１２）のプッシュボタン（１２ａ）を押圧する。なお、第１ドアは開いた状態にあり、第１ドア用レバー（８）は、副レバー（１１）と接触していない又は副レバー（１１）を十分に押し込んでいないので、電力供給スイッチ（７）はオフ状態、すなわち、画像形成装置の作像ユニットなどに電力が供給されていない状態にある。
【００２０】
ここで、開ドア検知スイッチ（１２）を第２ドア側用にのみ設けている理由について説明する。本実施形態のインターロックスイッチ機構（４）は、互いに垂直方向に開閉する第１ドア及び第２ドアを１個の電力供給スイッチ（７）で検知する構成であり、より具体的には、少なくとも一方のドアが開いた場合に、作像ユニットなどの各種装置への電力供給を停止する構成である。そのため、本実施形態のインターロックスイッチ機構（４）では、電力供給スイッチ（７）がオフになっても、電力供給スイッチ（７）では、どちらのドアが開いているのか判断することができない。そこで、本実施形態のインターロックスイッチ機構（４）は、第２ドアを開いて第２ドア用レバー（９）が図６中、二点鎖線の位置に戻るように回動したときに、開ドア検知スイッチ（１２）のプッシュボタン（１２ａ）の押圧が解除され、第２ドアが開かれたことを判断することができる構成にされている。もし、電力供給スイッチ（７）がオフになり、開ドア検知スイッチ（１２）が押圧された状態（オン状態）の場合には、第１ドアが開かれたと判断される。この判断は、画像形成装置内のＣＰＵを有する電子回路によって判断される。勿論、当該電子回路に電力供給スイッチ（７）や開ドア検知スイッチ（１２）が含まれることになる。第１ドアや第２ドアが開かれたことは、画像形成装置の機器操作パネルに表示される。
【００２１】
なお、開ドア検知スイッチ（１２）は第２ドア用レバー（９）の上端側の斜面によって直接押圧されるので、第２ドア用レバー（９）にプッシュボタン（１２ａ）を押圧するためのリブなどは形成されていない。
また、図６において、第２ドア用レバー（９）が開ドア検知スイッチ（１２）を押す部分を斜面でなくカムにすれば、第２ドア側の寸法のバラツキや、ユーザーによる第２ドア開閉時の力の入れ具合による第２ドアリブの差込量のバラツキなどが吸収される。
【００２２】
図７は、図１に示した第１ドア（１）を閉じ第２ドア（２）を開いたときのインターロックスイッチ機構（４）の状態を示している。第１ドアを閉じると、第１ドア用レバー（８）が回動する。第１ドア用レバー（８）のカム（８ａ）は副レバー（１１）を押圧し、押圧された副レバー（１１）は回動軸（１０ａ）を中心に回動する。しかし、第２ドア用レバー（９）は回動しないので、副レバー（１１）は開ドア検知スイッチ（１２）のプッシュボタン（１２ａ）と接触せず、プッシュボタン（１２ａ）は押圧されない。このとき、インターロックスイッチ機構（４）は、電力供給スイッチ（７）がオフ状態、すなわち、画像形成装置の作像ユニットなどに電力が供給されていない状態にある。
【００２３】
図８は、図１に示した第１ドア（１）及び第２ドア（２）を共に閉じたときのインターロックスイッチ機構（４）の状態を示している。第１ドアを閉じると、第１ドア用レバー（８）が回動する。すると、第１ドア用レバー（８）のカム（８ａ）が副レバー（１１）を押圧する。さらに、第２ドアが閉じられることによって、第２ドア用レバー（９）が図中、反時計回り方向に回動して主レバー（１０）を回動させる。そのため、副レバー（１１）は、主レバー（１０）の回動軸（１０ａ）の移動に伴って電力供給スイッチ（７）側に移動する上、第１ドア用レバー（８）によって押圧されて回動軸（１０ａ）を中心に回動し、電力供給スイッチ（７）のプッシュ部（７ａ）を押圧する。
このとき、インターロックスイッチ機構（４）は、電力供給スイッチ（７）はオン状態、すなわち、画像形成装置の作像ユニットなどに電力が供給されている状態にある。
【００２４】
図７の状態から、第１ドア及び第２ドアを開くと、プッシュ部（７ａ）は板バネ状になっているため、バネの復元力により副レバー（１１）を押し戻す。そして、第１ドア用レバー（８）、主レバー（１０）及び第２ドア用レバー（９）は元の位置に戻る方向に回動する。第２ドア用レバー（９）は自重により元の位置に戻るが、第１ドア用レバー（８）は回動軸が鉛直方向であるため、このままでは元の位置に戻らない。そのため、第１ドア用レバー（８）の回動を拘束する回止めを設けるとよい。そして、平板部（８ｃ）が画像形成装置正面と平行になったら、回動が拘束されるようにするとよい。また、平板部（８ｃ）が回止めに衝突して再び反対方向に回動しないように、小さな力で平板部（８ｃ）を保持するようにするとよい。例えば、僅かな力で係合が解かれるような突起が平板部（８ｃ）に係合するようにするとよい。このような第１ドア用レバー（８）の動きを拘束するための回止めや突起は、例えば、図３に示したプレート（６）に形成することができる。
【００２５】
図９は、第１ドア用レバー（８）の詳細を示している。第１ドア用レバー（８）は、カム（８ａ）と、回動軸部（８ｂ）と、第１ドアリブが当接する平板部（８ｃ）とを有している。簡単に言えば、回動軸部を中心とする円形構造を有するカムである。カム（８ａ）を形成すると、第１ドア側の寸法のバラツキや、ユーザーによる第１ドア開閉時の力の入れ具合による第１ドアリブの差込量のバラツキなどを吸収することができる。
【００２６】
第１ドアリブ（１ａ）は、第１ドア用レバー（８）の平板部（８ｃ）を押圧するが、押し始めの時点で第１ドアリブ（１ａ）は平板部（８ｃ）に垂直に衝突し、回動軸部（８ｂ）を中心に平板部（８ｃ）を回動させるので、第１ドアを閉じるときに余計な力が入らず、スムーズに第１ドアを閉じることができる。
また、図８に示される第２ドアリブ（２ａ）は、第２ドア用レバー（９）の平面を押圧するが、押し始めの時点で平面は垂直方向に沿っているので、第２ドアリブ（２ａ）は当該平面に垂直に衝突する。そして、回動軸部（９ｂ）を中心に第２ドア用レバー（９）を回動させるので、第２ドアを閉じる際に余計な力が入らず、スムーズに第２ドアを閉じることができる。
【００２７】
上述したインターロックスイッチ機構（４）では、第１ドアと第２ドアとの開閉状態によって、図１０に示すような電力供給スイッチ（７）のオン／オフ制御を行うことができる。より具体的には、第１ドアと第２ドアとが閉じられた場合に、電力供給スイッチ（７）がオンになる。この電力供給スイッチ（７）では、第１ドアと第２ドアの開閉順序に関係なく、所定のオン／オフの判断がなされる。
【００２８】
次に、インターロックスイッチ機構（４）の設計寸法について図１１及び図１２を用いて説明する。図１１は、第２ドアの開閉方向に沿った断面を模式的に示している。第２ドアリブが第２ドア用レバー（９）を押圧する部分の中心を点Ａ、第２ドア用レバー（９）が主レバー（１０）を押圧する部分の中心を点Ｂ、第２ドア用レバー（９）の回動中心を点Ｃとした場合、線分ＡＣは線分ＢＣより長い。このようにインターロックスイッチ機構（４）は、梃子の原理を利用しており、小さい操作力で電力供給スイッチ（７）をオンにすることができ、操作性に優れている。なお、押圧する部分の中心とは、面接触する場合にはその重心であり、線接触の場合は、その線分の中心であり、点接触の場合はその点である。
また、図１２に示すように、本実施形態のインターロックスイッチ機構（４）では、副レバー（１１）が電力供給スイッチ（７）のプッシュ部（７ａ）を押圧する部分の中心を点Ｄ、第１ドア用レバー（８）が副レバー（１１）を押圧する部分の中心を点Ｅ、副レバー（１１）の回動中心を点Ｆとした場合、線分ＤＦが線分ＥＦより短くされている。このようにインターロックスイッチ機構（４）は、梃子の原理を利用しており、小さい操作力で電力供給スイッチ（７）をオンにすることができ、操作性に優れている。また、本実施形態のインターロックスイッチ機構（４）は、インターロックスイッチ機構（４）の組付作業による公差の累積による寸法のガタを副レバー（１１）の部分で吸収することができる。
【００２９】
上述した実施形態のインターロックスイッチ機構（４）では、第１ドア用レバー（８）に副レバー（１１）を押圧するカム（８ａ）を有し、第２ドア用レバー（９）は主レバー（１０）を押圧するカム（９ａ）を有しているので、カムの湾曲した面でスムーズにドア用レバー（８、９）が回動し、簡素な構成でスムーズに電力供給スイッチ（７）の切換動作を行うことができる。
【００３０】
上述した実施形態のインターロックスイッチ機構（４）を改良した形態を図１３に示す。図１３に示すインターロックスイッチ機構（４）では、第２ドアリブ（２ａ）が第２ドア用レバー（９）を押圧して、ある程度第２ドア用レバー（９）を回動させると、第２ドア用レバー（９）の上端が第２ドアリブ（２ａ）の下側の面と接触する構成である。第２ドアリブ（２ａ）をある程度押し込むと、第２ドアリブ（２ａ）の先端が第２ドア用レバー（９）と非接触になり、開ドア検知スイッチ（１２）のプッシュボタン（１２ａ）を押圧する。第２ドアリブ（２ａ）は円柱状でも角柱状でもよい。
言い換えると、第２ドアリブ（２ａ）で第２ドア用レバー（９）を一定距離押し込むと、第２ドアリブ（２ａ）の先端と第２ドア用レバー（９）とが非接触になり、さらに、第２ドアリブ（２ａ）を押し込むと、第２ドアリブ（２ａ）は開ドア検知スイッチ（１２）を押圧し、第２ドアリブ（２ａ）が開ドア検知スイッチ（１２）を押圧した状態では、第２ドア用レバー（９）は元の位置に戻ろうとする動きが第２ドアリブ（２ａ）によって拘束される構成にされている。
【００３１】
このような構成にすると、第２ドア（２）に形成された第２ドアリブ（２ａ）が直接、開ドア検知スイッチ（１２）を押圧するので、部品点数を減らすことができる。ひいては、部品の寸法公差によるガタを抑止することができる。また、第２ドアリブ（２ａ）の周面に第２ドア用レバー（９）が当接し、第２ドア用レバー（９）が元の位置に戻ろうとする動きが拘束されるので、第２ドア用レバー（９）からは主に第２ドアリブ（２ａ）の挿入方向に対して垂直方向の力しか受けない。従って、第２ドアリブ（２ａ）の挿入時の反力が小さい。
【００３２】
最後に、上述した実施形態のインターロックスイッチ機構（４）を改良したもう１つの形態を図１４に示す。図１４では、第２ドア用レバー（９）の回動を拘束する回止め（６ａ）がプレート（６）に形成されている。このように回止め（６ａ）を形成すると、第２ドアリブの押込み過ぎによるインターロックスイッチ機構（４）の破損を防ぐことができる。なお、回止め（６ａ）は、別部品として取り付けてもよい。例えば、ボルトをプレート（６）に螺合させることで回止めを形成することができる。
【図面の簡単な説明】
【００３３】
【図１】図１は、本発明のインターロックスイッチ機構の一実施形態を備える画像形成装置を示す説明図である。
【図２】図２は、インターロックスイッチ機構が設けられている本体構造体の外観を示す説明図である。
【図３】図３は、インターロックスイッチ機構を拡大して示す説明図である。
【図４】図４は、図３のプレート（６）を取り外した形態を示す説明図である。
【図５】図５は、第１ドア及び第２ドアを共に開いたときの状態を示す説明図である。図５（ａ）はインターロックスイッチ機構の正面図であり、図５（ｂ）はインターロックスイッチ機構の斜視図である。
【図６】図６は、第１ドアを開き第２ドアを閉じたときの状態を示す説明図である。図６（ａ）はインターロックスイッチ機構の正面図であり、図６（ｂ）はインターロックスイッチ機構の斜視図である。
【図７】図７は、第１ドアを閉じ第２ドアを開いたときの状態を示す説明図である。図７（ａ）はインターロックスイッチ機構の正面図であり、図７（ｂ）はインターロックスイッチ機構の斜視図である。
【図８】図８は、第１ドア及び第２ドアを共に閉じたときの状態を示す説明図である。図８（ａ）はインターロックスイッチ機構の正面図であり、図８（ｂ）はインターロックスイッチ機構の斜視図である。
【図９】図９は、第１ドア用レバーの詳細を示す説明図である。図９（ａ）は第１ドア用レバーの正面図であり、図９（ｂ）は第１ドア用レバーの正面図である。
【図１０】図１０は、第１ドア及び第２ドアの開閉と電力供給スイッチのオン／オフとの関係を示す説明図である。
【図１１】図１１は、第２ドアの開閉方向に沿った断面を模式的に示す説明図である。
【図１２】図１２は、図１１の第１ドア用レバー及び第２ドア用レバーが回動した形態を示す説明図である。
【図１３】図１３は、インターロックスイッチ機構の変形例を示す説明図である。
【図１４】図１４は、インターロックスイッチ機構の第２の変形例を示す説明図である。
【符号の説明】
【００３４】
１  第１ドア
１ａ  第１ドアリブ
２  第２ドア
２ａ  第２ドアリブ
３  給紙ストッカ
４  インターロックスイッチ機構
５  本体構造体
６  プレート
６ａ  回止め
７  電力供給スイッチ
７ａ  プッシュ部
８  第１ドア用レバー
８ａ  カム
８ｂ  回動軸部
８ｃ  平板部
９  第２ドア用レバー
９ａ  カム
９ｂ  回動軸部
１０  主レバー
１０ａ  回動軸
１１  副レバー
１２  開ドア検知スイッチ
１２ａ  プッシュボタン
【図１】
0005256774.tif 000002
【図２】
0005256774.tif 000003
【図３】
0005256774.tif 000004
【図４】
0005256774.tif 000005
【図５】
0005256774.tif 000006
【図６】
0005256774.tif 000007
【図７】
0005256774.tif 000008
【図８】
0005256774.tif 000009
【図９】
0005256774.tif 000010
【図１０】
0005256774.tif 000011
【図１１】
0005256774.tif 000012
【図１２】
0005256774.tif 000013
【図１３】
0005256774.tif 000014
【図１４】
0005256774.tif 000015